(57)【要約】【課題】使用者の用途に適した運転を可能とした扇風機を提供する。【解決手段】小径ミストＭを発生させＯＨラジカルを生成させる静電霧化装置１３を備え、外郭２内部を上下に分割し、上部には前記静電霧化装置１３、下部には第２の送風手段１６を配置したことにより、静電霧化装置にて小径ミストＭを発生させることによりＯＨラジカルを生成し、除菌、消臭効果を得ることができ、外郭２が上下独立した構造を持っているため上下ごとに単独運転できる。【選択図】  図１
2011137420.tif 000002
【特許請求の範囲】
【請求項１】
小径ミストを発生させＯＨラジカルを生成させる静電霧化装置を備え、
本体を上下に分割し、上部には前記静電霧化装置、下部には主たる送風手段を配置したことを特徴とする扇風機。
【請求項２】
前記静電霧化装置と従たる送風手段を備えたＯＨラジカル発生ユニットと、前記主たる送風手段を備えた送風ユニットとを備え、それぞれのユニットは単独運転可能としたことを特徴とする請求項１記載の扇風機。
【発明の詳細な説明】
【技術分野】
【０００１】
本発明は、ＯＨラジカルを発生する静電霧化装置を備えた扇風機に関する。
【背景技術】
【０００２】
近年、ミストにより、主にＯＨラジカルを機外に放出する製品が増えている（特許文献１参照）。
【先行技術文献】
【特許文献】
【０００３】
【特許文献１】特開２００６―２８１０２５号公報
【発明の開示】
【発明が解決しようとする課題】
【０００４】
従来の空気調和機は、静電霧化装置により発生したＯＨラジカルを機外に放出するにはメイン送風機を運転させる必要があり、静電霧化装置のみ運転したいという要求に対しては必要以上の送風を行わなければならないという問題があった。
【０００５】
そこで、本発明は上記問題点を解決して、使用者の用途に適した運転を可能とした扇風機を提供することを目的とする。
【課題を解決するための手段】
【０００６】
請求項１の発明の扇風機では、小径ミストを発生させＯＨラジカルを生成させる静電霧化装置を備え、本体を上下に分割し、上部には前記静電霧化装置、下部には主たる送風手段を配置したことを特徴とする。
【０００７】
請求項２の発明の扇風機では、前記静電霧化装置と従たる送風手段を備えたＯＨラジカル発生ユニットと、前記主たる送風手段を備えた送風ユニットとを備え、それぞれのユニットは単独運転可能としたことを特徴とする。
【発明の効果】
【０００８】
請求項１の発明によれば、静電霧化装置にて小径ミストを発生させることにより、ＯＨラジカルを生成し、除菌、消臭効果を得ることができる。
【０００９】
請求項２の発明によれば、単独運転させることにより、そのときの状況に応じた運転が可能である。
【図面の簡単な説明】
【００１０】
【図１】本発明の第１実施例における扇風機を示す斜視図である。
【図２】同上、扇風機の断面図である。
【図３】同上、扇風機の電気的な構成を示すブロック図である。
【図４】同上、扇風機の変形例を示す側面図である。
【図５】本発明の第２実施例における扇風機を示す斜視図である。
【発明を実施するための最良の形態】
【００１１】
以下、本発明に係る扇風機の好ましい実施形態を、添付図面に基づいて説明する。
【実施例１】
【００１２】
図１乃至図３は、本発明の扇風機の第１実施例を示すものである。図１に扇風機の斜視図、図２に扇風機の断面図を示す。本実施例のタワー型扇風機１は、扇風機本体である中空円筒形状の外郭２を備え、外郭２内部を隔壁３を介して上部空間４と下部空間５とに上下方向に２分割し、上部空間４を有する外郭２上部を空気とともにピコメートルサイズのミストを排出させる第１の送風部６とし、また下部空間５を有する外郭２下部を通常の送風部である第２の送風部７として構成している。また、外郭２の下端には外郭２の直径より大きく形成された円盤状の台座８を備えている。ここで、本実施例の扇風機においては、上部空間４より下部空間５の方が大きな空間として形成されている。
【００１３】
外郭２の天面２Ａ及び側周面２Ｂには、外郭２内部と外部とを連通する縦長スリット状か、又は格子状の複数の貫通孔９を有している。
【００１４】
第１の送風部６は、外郭２の側周面２Ｂ上部の貫通孔９からなる第１の吸気部１０と、外郭２の天面２Ａの貫通部９からなる第１の排気部１１と、上部空間４に配設され第１の吸気部１０から外気を取り込み、上部空間４に取り込まれた空気を第１の排気部１１から外郭２外部へと排出する第１の流路Ｆ１を発生させる、外郭２の中心軸Ｘと同軸方向に回転軸を有する軸流ファンからなる第１の送風手段１２と、上部空間に配設された水を微細化する機構としての静電霧化装置１３とを備えて構成されている。
【００１５】
第２の送風部７は、外郭２背面側の側周面２Ｂ下部に配設された貫通孔９からなる第２の吸気部１４と、外郭２正面側の側周面２Ｂ下部に配設された貫通部９からなる第２の排気部１５と、下部空間５に配設され、第２の吸気部１０から外気を取り込み、下部空間５に取り込まれた空気を第２の排気部１５から外郭２外部へと排出する第２の流路Ｆ２を発生させる、外郭２の中心軸Ｘと同軸方向に回転軸を有するシロッコファンからなる第２の送風手段１６とを備えて構成されている。
【００１６】
ここで、静電霧化装置１３の概略について説明すると、この静電霧化装置１３は、給液手段たる水タンク１７より毛細管現象により水が搬送される一方の電極たる放電電極（図示せず）と、この放電電極に対向して設けられる他方の電極たる対向電極（図示せず）と、この放電電極と対向電極との間に高電圧を印加する電圧印加手段（図示せず）を有している。また、図４に示すように静電霧化装置３に水タンクを備えず、空気中の水分を直接ミストＭを生成するものとしてもよい。
【００１７】
放電電極としては、例えば多孔質のセラミックスのその細孔より小さな孔を無数に備えた多孔質のポリエステルの集合体から成り、その先端が円弧状に形成されると共に基端側を水タンク１７に接続された、一本又は複数本の棒状体である。この放電電極は前記多孔質な構造により、吸水性を有しており、水タンク１７に接続された基端としての導入口（図示せず）を介して給水部材２９から水タンク１７内部の液体（水）をその先端まで吸い上げ可能な構造としている。
【００１８】
続いて、図３を元に扇風機１の電気的な構成について説明すると、外郭２内部に備えた制御手段１８は、その入力側に第１の送風手段１２、第２の送風手段１６及び静電霧化装置１３のオン／オフ操作を行う各種スイッチからなる操作手段１９を備え、一方の出力側には第１の送風手段１２と、第２の送風手段１６と、静電霧化装置１３をそれぞれ備えている。  以上の構成について作用を述べると、先ずは電源（図示せず）からの電力供給を受けた状態で扇風機１の操作手段１９を操作して、扇風機１を作動させる。作動した扇風機１では、第１の送風手段１２により、第１の吸気部１０から第１の排気部１１へと空気の流れである第１の流路Ｆ１が形成されるとともに、第２の送風手段１６により、第２の吸気部１４から第２の排気部１５へと空気の流れである第２の流路Ｆ２が形成される。
【００１９】
ここで、本実施例の扇風機では、操作手段１９によって、第１の送風手段12と静電霧化装置１３のみを作動させての第１の送風部６による単独運転や、反対に第２の送風手段１６のみを作動させての第２の送風部７による単独運転が可能となっている。
【００２０】
第１の送風部６の運転により、第１の吸気部１０から上部空間４に取り込まれた室内空気は、第１の流路Ｆ１により静電霧化装置６により発生したピコメートルサイズ（ここで、ピコメートル＝ｐｍ＝１０-12メートル）のミストＭと共に第１の排気部１１から室内に吐出される。以上の空気の流れが継続されることにより、室内空気が清浄化される。
【００２１】
さらに、第２の送風部７の運転によって発生する第２の流路Ｆ２によって、室内の空気が広範囲に亘って攪拌され、第１の送風部６より発生するミストＭも広範囲に亘り拡散される。
【００２２】
ここで、静電霧化装置１３によるピコメートルサイズのミストＭの発生についてその説明をすると、静電霧化装置１３において放電電極と対向電極との間に電圧印加手段により電圧が印加されると、放電電極の先端への電荷の集中が起こり、毛細管現象により水タンク１７から放電電極の先端へと吸い上げられた水と対向電極との間にクーロン力が働くことで水は帯電して、このクーロン力が水の表面張力を超えると水が分裂（レイリー分裂）を繰り返し、ＯＨラジカル（ハイドロキシラジカル又は水酸化ラジカル）等のラジカル（radical又はフリーラジカル、遊離基）たる活性種を含有したピコメートルサイズの粒子径のミストを発生させるものである。
【００２３】
この場合、放電電極を、例えば多孔質のセラミックスのその細孔より小さな孔を無数に有する多孔質のポリエステルの集合体から構成することにより、上述したように水は毛細管現象によってこの極めて微小な孔より放電電極の先端へと滲み出るように吸い上げられる。さらに、放電電極の先端を円弧状にすることにより、対向電極に対向する放電電極の対向面積を大きく形成することで、放電電極２３と対向電極との間に電圧を印加した場合の放電電極の先端への電荷の集中を和らげる。そして、放電電極の先端への電荷の集中を和らげることで、弱い電荷で徐々に水を分裂させていき、ナノメートルサイズより更に微小な粒子径を有するピコメートルサイズのミストＭを発生させることが可能である。
【００２４】
そして、本実施例の静電霧化装置１３により発生するミストＭの粒子径をピコメートルサイズとしたことにより清浄化された空気の流れにさらに乗りやすくなり、拡散性が向上しており、このため静電霧化装置１３により発生するピコメートルサイズのミストＭに含有するＯＨラジカル（ハイドロキシラジカル又は水酸化ラジカル）等のラジカル（radical又はフリーラジカル、遊離基）たる活性種によって、室内空気中の浮遊成分や室内壁面への付着物についての除菌・脱臭機能を有効に活用することで、広範囲に亘り、効果的な除菌・脱臭を行うことが可能である。
【００２５】
以上のように本実施例は請求項１に対応しており、小径ミストＭを発生させＯＨラジカルを生成させる静電霧化装置１３を備え、本体たる外郭２内部を上下に分割し、上部には前記静電霧化装置１３、下部には主たる送風手段である第２の送風手段１６を配置したことにより、静電霧化装置にて小径ミストＭを発生させることによりＯＨラジカルを生成し、除菌、消臭効果を得ることができ、本体が上下独立した構造を持っているため上下ごとに単独運転できる。
【００２６】
また、請求項２に対応しており、静電霧化装置１３と従たる送風手段である第１の送風手段１２を備えたＯＨラジカル発生ユニットである第１の送風部６と、第２の送風手段１６を備えた送風ユニットである第２の送風部７とを備え、第１の送風部６及び第２の送風部７はそれぞれ単独運転可能としたことにより、
この場合、第１の送風部６及び第２の送風部７を単独運転することにより、そのときの状況に応じての運転が可能である。
【実施例２】
【００２７】
図５は、本発明の第２実施例を示すもので、公知の扇風機２０において、ファン２２により発生する流路Ｆ３の吸い込み側であるネック部分２１に静電霧化装置１３を設けたものであり、ファン２２により発生する気流（流路Ｆ３）により、静電霧化装置１３から発生するミストＭが室内に拡散され、ミストＭに含有するＯＨラジカル（ハイドロキシラジカル又は水酸化ラジカル）等のラジカル（radical又はフリーラジカル、遊離基）たる活性種によって、室内空気中の浮遊成分や室内壁面への付着物についての除菌・脱臭機能を有効に活用することで、広範囲に亘り、効果的な除菌・脱臭を行うことが可能である。  なお、本発明は上記各実施例に限定されるものではなく、種々の変形実施が可能である。例えば、本実施形態においては対向電極（図示せず）を備えた静電霧化装置１３について述べているが、対向電極は必ずしも必要ではなく、接地電位に対して高電圧を放電電極に印加しさえすれば静電霧化が行われるものである。また、放電電極の素材や形状及び構成、放電電極への水の供給方法については適宜変更が可能である。
【００２８】
本実施例の静電霧化装置にナノメートルサイズのミストを発生させる機能を備えてもよく、ピコメートルサイズのミストとナノメートルサイズのミストを両方発生させる機能を備えてもよい。
【符号の説明】
【００２９】
１  扇風機
２  外郭
６  第１の送風部
７  第２の送風部
１２  第１の送風手段（従たる送風手段）
１３  静電霧化装置
１６  第２の送風手段（主たる送風手段）
【図１】
2011137420.tif 000003
【図２】
2011137420.tif 000004
【図３】
2011137420.tif 000005
【図４】
2011137420.tif 000006
【図５】
2011137420.tif 000007